(57)【特許請求の範囲】
【請求項１】
車両の通行路（ＲＤ）側であり、利用者の操作側でもある前面部（２）側に前扉（１０）を設け、この前扉（１０）の内側には各種の案内画面（３１Ａ）を表示する表示器（３１）を備えた設定表示装置（３０）が設けられ、側面部（３）には横扉（２０）が設けられた駐車場管理機（１）であって、
上記の前扉（１０）に、上記表示器（３１）の案内画面（３１Ａ）を上記前面部（２）側より視覚確認可能とする開口状また透過状の案内窓部（１０Ａ）を設け、
上記表示器（３１）を備えた設定表示装置（３０）には、メンテナンス時に当該表示器（３１）の案内画面（３１Ａ）をメンテナンス用の設定画面に切換えて操作することができる設定キー（３２）を設けると共に、
上記前扉（１０）の内側に、前記表示器（３１）と設定キー（３２）を備えた前記設定表示装置（３０）を保持する保持部材と、この保持部材を移動可能に支持する支持手段とを設けて、
上記設定表示装置（３０）の上記保持部材を上記支持手段を用いて移動操作することにより、上記表示器（３１）と設定キー（３２）を備えた設定表示装置（３０）が、表示器（３１)の案内画面（３１Ａ）を上記案内窓部（１０Ａ）の内側に位置合わせして、上記前扉（１０）の前面部（２）側より案内窓部（１０Ａ）を通して当該案内画面（３１Ａ）を視覚可能な状態に配置させる第１の位置と、
上記前扉（１０）が開放された際に、上記設定表示装置（３０）に設けた表示器（３１）の案内画面（３１Ａ）が、開放された前扉（１０）の裏面側より視覚確認でき、且つ、上記メンテナンス用の設定キー（３２）を同じく裏面側より操作可能な状態に配置される第２の位置と、
上記前扉（１０）が閉じていて且つ上記横扉（２０）が開放された際に、上記駐車場管理機（１）の機体の内側で上記横扉（２０）が開放された部分であって、当該機体の外側より上記メンテナンス用の設定キー（３２）を操作でき、且つ、上記表示器（３１）の案内画面（３１Ａ）を視覚確認できる状態に配置される第３の位置との間を、移動自在に構成されていることを特徴とする駐車場管理機。
【請求項２】
前記保持部材及び支持手段の夫々には、上記の設定表示装置（３０）を上記第１の位置と第２の位置、及び、第３の位置に係止することができる第１、第２、第３の係止手段（６１，６２，６３）が設けられていることを特徴とする請求項１に記載の駐車場管理機。
【請求項３】
前記設定表示装置（３０）を保持する前記保持部材としての第１の筺体（４１）に、前記前扉（１０）に平行で鉛直な中心を有する前記支持手段としての第１の回動支持軸（５１）を設け、
上記第１の筺体（４１）の第１の回動支持軸（５１）を支持する上記保持部材としての第２の筺体（４２）には、前記前扉（１０）に平行で鉛直な中心を有する前記支持手段としての第２の回動支持軸（５２）を設けて、
上記第２の筺体（４２）の第２の回動支持軸（５２）を支持する基礎となる上記保持部材としての主筺体（４０）を、前記前扉（１０）の内側に一体的に構成すると共に、
上記基礎となる主筺体（４０）に保持された上記第２の筺体（４２）に保持されている上記第１の筺体（４１）が、前記設定表示装置（３０）に設けた表示器（３１）の案内画面（３１Ａ）を、前記前扉（１０）の案内窓部（１０Ａ）の内側に位置合わせした位置を前記第１の位置と成し、
当該第１の位置より、上記第１の筺体（４１）が上記第２の筺体（４２）に対して上記第１の回動支持軸（５１）を中心にほぼ１８０度反転した位置を、前記第２の位置と成し、
当該第２の位置より、上記第１及び第２の筺体（４１，４２）が上記基礎となる主筺体（４０）に対して上記第２の回動支持軸（５２）を中心にほぼ９０度回動した位置を、前記第３の位置と成すことを特徴とする請求項１又は２に記載の駐車場管理機。
【請求項４】
前記第１の位置では、前記係止手段としての第１の係止手段（６１）が前記基礎となる主筺体（４０）と前記設定表示装置（３０）を保持する第１の筺体（４１）との間を係止状態と成し、
前記第２の位置では、当該第１の係止手段（６１）の係止解除に続く前記１８０度反転移動により、前記係止手段としての第２の係止手段（６２）が前記第２の筺体（４２）と上記第１の筺体（４０）との間を係止状態となし、
前記第３の位置では、当該第２の係止手段（６２）による上記第１、第２の筺体（４１，４２）の一体的移動による前記９０度回動移動の後に、前記係止手段としての第３の係止手段（６３）が、上記主筺体（４０）と上記第２の筺体（４２）との間を係止状態にすることを特徴とする請求項１、２又は３に記載の駐車場管理機。
【請求項５】
前記第１の位置では、前記第２の筺体（４２）は、少なくとも２つ以上の複数の係止手段（６３，６４）によって複数箇所で前記主筺体（４０）の間を係止状態に保持されると共に、
上記複数の係止手段（６３，６４）のうちの１つの係止手段（６４）は、前記第１の筺体（４１）が前記第２の筺体（４２）に対して前記１８０度反転移動した前記第２の位置に移動した時に、当該第１の筺体（４１）、若しくはそれと一体的な凸部（４１Ｘ）の当接によってその係止状態を解除するように構成されていることを特徴とする請求項１、２、３又は４に記載の駐車場管理機。
【請求項６】
前記第１の係止手段（６１）の係止状態により、前記設定表示装置（３０）を保持した前記第１の筺体（４１）が、前記第１の位置か或いはそれ以外に位置するかを判別して、その判別結果に従って前記表示器（３１）の画面モードを、上記第１の位置における通常の操作時の案内画面（３１Ａ）モードと、それ以外の位置におけるメンテナンス時の設定画面モードのいずれかに切り換えることを特徴とする請求項１、２、３、４又は５に記載の駐車場管理機。
【発明の詳細な説明】
【技術分野】
【０００１】
本発明は、駐車場に入場する車両の入場時刻を記録した駐車券を発行して入場ゲートを開閉する駐車券発行機や、駐車車両の駐車料金の決済を以て駐車場の出場ゲートを開閉する駐車料金精算機などに用いて好適な駐車場管理機に関し、具体的には、駐車券発行機や駐車料金精算機などの内部に使用される表示器や設定キーを含む設定表示装置の取付け構造に関するものである。
【背景技術】
【０００２】
従来より使用されている駐車料金精算機や駐車券発券機などの駐車場管理機は、車両に乗ったままドライバーが操作する場合が多いため、車路方向に向いた前面部側に駐車券挿入口や、コイン投入口、紙幣挿入口、払い出し口、或いは、紛失・取消し及び領収証発行ボタン、更には、案内表示画面などが配置されていて、駐車券やコイン、又は紙幣などが詰まった場合の処置や、内部の機器が故障した場合のメンテナンス作業を容易にするために、前面が開閉扉で構成されている。 
【０００３】
また、従来の駐車料金精算機では、車両が装置の前に停車した状態で何らかのトラブルが発生して、後続に車列ができているような場合には、車両をバックさせることができないため、その状態で何らかの処置ができるように、特許文献１、２に記載されているように機体の横側（側面）にも横扉を設けておくことにより、前面側に車両が停車していたとしても、横から前述したメンテナンス作業等を行えるように構成されている。
【０００４】
また、例えば新設駐車場の入口又は出口で、係員が利用者に駐車位置の案内や駐車方法を説明したり、釣銭を手渡したりする補助作業を行う際に、係員が車路に出ていては危険であるため、駐車料金精算機やその他各種機器の横側から安全に動作状態の説明や確認を行ったり、設定を変更操作するためにも、横扉の内側にも表示画面を有する設定表示装置を設ける必要がある。
【０００５】
しかし、駐車料金精算機のような各種機器の正面部と側面部の夫々に、通常の案内画面と設定用の画面を設けた場合には、機器１台に対して少なくとも２台の表示器が必要になるため、装置全体のコストアップに繋がる問題があった。
【０００６】
そこで本出願人は特許文献３で示した駐車場用管理機における内部機器の取付け構造を開発した。この特許文献３によれば駐車場に使用されている駐車券発行機や、出口料金精算機或いは事前料金精算機といった各種の駐車場管理機に使用されている案内画面と設定画面を、１台の表示器で併用して画面表示することができるため、各種駐車場管理機の単価を安くして駐車場全体のコストを安く出来る経済性を発揮できると共に、各種駐車場管理機の横扉を開くことによりその開いた位置に表示器と設定キーを備えた内部機器を移動させることで、メンテナンス処理等の作業を車両の通行路から外れた駐車場管理機の側部において安全に、且つ、円滑に行うことができる安全性と機能性も備えた技術を実現している。
【特許文献１】意匠登録第１１０１５２９号公報
【特許文献２】特開２００１−２６７７６３号公報
【特許文献３】特開２００７−２０７１０３号公報
【発明の開示】
【発明が解決しようとする課題】
【０００７】
ところが前記の特許文献３に記載された従来の駐車場管理機における内部機器の取付け機構では、これを駐車場の料金精算機に応用した場合に、駐車券発行機の様に横扉のみを開けての設定作業時には有用な機構ではあるが、駐車料金精算機で完全にメンテナンスのみをおこなう場合などで前扉と横扉を両方開けて作業する際に、前扉に表示画面が装着されている構造では、前扉が開くことでメンテナンス作業中にはその表示画面を精算機の内側から見ることは出来ず、別途メンテナンス用の画面が内部に必要となって従来の問題点の解消が出来ずにコストアップを招いてしまうため、まず前扉が開いても表示画面が本体側に残るような構成にする必要があった。
【０００８】
しかし、上述の如く構成すると、設定表示装置がちょうど駐車券や紙幣等を発行用内部装置の上側に位置しているために作業がしづらく、また、駐車券や紙幣のつまりを解消させるようなメンテナンスの場合には、表示画面をいちいち移動させなくてはならないため、作業が面倒であった。
【０００９】
また、前述した特許文献３に示した技術では、従来の駐車券発行機を想定して構成されているため、駐車券発行機に比べて多機能で内部に多数の装置と構造物を有して形状的にも大型化している駐車料金精算機の場合には、設定表示装置のガイド部材が大型化して移動距離が長く必要となり、移動の前後で設定表示装置の電気配線を絡ませずに適正に収容するのも困難であり、移動操作も長い距離を引きずるように設定表示装置を移動させるために、容易な操作とはいえないものになってしまう問題があった。
【００１０】
そこで本発明の技術的課題は、駐車料金精算機などに必要とされる案内画面と設定画面を、１台の表示装置にて賄うことができるように工夫すると共に、内部装置類のメンテナンスも当該表示装置の移動軌跡や電気配線等に邪魔されることなく容易に行うことができるように工夫した、駐車場管理機を提供することである。
【課題を解決するための手段】
【００１１】
（１）  上記の技術的課題を解決するために、本発明の請求項１に係る駐車場管理機は、車両の通行路側であり、利用者の操作側でもある前面部側に前扉を設け、この前扉の内側には各種の案内画面を表示する表示器を備えた設定表示装置が設けられ、側面部には横扉が設けられた駐車場管理機であって、上記の前扉に、上記表示器の案内画面を上記前面部側より視覚確認可能とする開口状また透過状の案内窓部を設け、上記表示器を備えた設定表示装置には、メンテナンス時に当該表示器の案内画面をメンテナンス用の設定画面に切換えて操作することができる設定キーを設けると共に、上記前扉の内側に、上記設定表示装置を保持する保持部材と、この保持部材を移動可能に支持する支持手段とを設け、上記設定表示装置の上記保持部材を上記支持手段を用いて移動操作することにより、上記表示器と設定キーを備えた設定表示装置が、表示器の案内画面を上記案内窓部の内側に位置合わせして、上記前扉の前面部側より案内窓部を通して当該案内画面を視覚可能な状態に配置させる第１の位置と、上記前扉が開放された際に、上記設定表示装置に設けた表示器の案内画面が、開放された前扉の裏面側より視覚確認でき、且つ、上記メンテナンス用の設定キーを同じく裏面側より操作可能な状態に配置される第２の位置と、上記前扉が閉じていて且つ上記横扉が開放された際に、上記駐車場管理機の機体の内側で上記横扉が開放された部分であって、当該機体の外側より上記メンテナンス用の設定キーを操作でき、且つ、上記表示器の案内画面を視覚確認できる状態に配置される第３の位置との間を、移動自在に構成されていることを特徴とする。
【００１２】
（２）  また、本発明の請求項２に係る駐車場管理機は、前記保持部材及び支持手段の夫々には、上記の設定表示装置を上記第１の位置と第２の位置、及び、第３の位置に係止することができる第１、第２、第３の係止手段が設けられていることを特徴とする。
【００１３】
（３）  また、本発明の請求項３に係る駐車場管理機は、前記設定表示装置を保持する前記保持部材としての第１の筺体に、前記前扉に平行で鉛直な中心を有する前記支持手段としての第１の回動支持軸を設け、上記第１の筺体の第１の回動支持軸を支持する上記保持部材としての第２の筺体には、前記前扉に平行で鉛直な中心を有する前記支持手段としての第２の回動支持軸を設けて、上記第２の筺体の第２の回動支持軸を支持する基礎となる上記保持部材としての主筺体を、前記前扉の内側に一体的に構成すると共に、上記基礎となる主筺体に保持された上記第２の筺体に保持されている上記第１の筺体が、前記設定表示装置に設けた表示器の案内画面を、前記前扉の案内窓部の内側に位置合わせした位置を前記第１の位置と成し、当該第１の位置より、上記第１の筺体が上記第２の筺体に対して上記第１の回動支持軸を中心にほぼ１８０度反転した位置を、前記第２の位置と成し、当該第２の位置より、上記第１及び第２の筺体が上記基礎となる主筺体に対して上記第２の回動支持軸を中心にほぼ９０度回動した位置を、前記第３の位置と成すことを特徴とする。
【００１４】
（４）  また、本発明の請求項４に係る駐車場管理機は、前記第１の位置では、前記係止手段としての第１の係止手段が前記基礎となる主筺体と前記設定表示装置を保持する第１の筺体との間を係止状態と成し、前記第２の位置では、当該第１の係止手段の係止解除に続く前記１８０度反転移動により、前記係止手段としての第２の係止手段が前記第２の筺体と上記第１の筺体との間を係止状態となし、前記第３の位置では、当該第２の係止手段による上記第１、第２の筺体の一体的移動による前記９０度回動移動の後に、前記係止手段としての第３の係止手段が、上記主筺体と上記第２の筺体との間を係止状態にすることを特徴とする。
【００１５】
（５）  また、本発明の請求項５に係る駐車場管理機は、前記第１の位置では、前記第２の筺体は、少なくとも２つ以上の複数の係止手段によって複数箇所で前記主筺体の間を係止状態にすると共に、上記複数の係止手段のうちの１つの係止手段は、前記第１の筺体が前記第２の筺体に対して前記１８０度反転移動した前記第２の位置に移動した時に、当該第１の筺体、若しくはそれと一体的な凸部の当接によってその係止状態を解除するように構成されていることを特徴とする。
【００１６】
（６）  更に、本発明の請求項６に係る駐車場管理機は、前記第１の係止手段の係止状態により、前記設定表示装置を保持した前記第１の筺体が、前記第１の位置か或いはそれ以外に位置するかを判別して、その判別結果に従って前記表示器の画面モードを、上記第１の位置における通常の操作時の案内画面モードと、それ以外の位置におけるメンテナンス時の設定画面モードのいずれかに切り換えることを特徴とする。
【００１７】
上記（１）で述べた本発明の請求項１に係る手段によれば、駐車場管理機の前扉を開けた状態で、表示器の案内画面が前扉の内側より、即ち、裏面側から視覚確認でき、且つ、メンテナンス用の設定キーを操作できる第２の位置状態にも配置できるために、駐車場管理機の内部を前部側よりアクセスして内部の修理等をおこなう際には、設定表示装置が前扉側にあるので邪魔にならず、前扉を開けた状態でのメンテナンス性が良い。また、駐車場管理機の内部を横側よりアクセスして内部の修理等をおこなう際には、横扉を開けたその内側部分に上記メンテナンス用の設定キーがあるため、簡単に操作でき、且つ上記表示器の案内画面若しくはメンテナンス用に切換えられた設定画面を、上記駐車場管理機の側面部より視覚確認できる第３の位置状態に配置できるために、横扉のみを開けた状態でのメンテナンス性も良好に両立できる。
【００１８】
上記（２）、（３）で述べた本発明の請求項２、３に係る手段によれば、第１の筐体を１８０度回動させることで容易に第１の位置から第２の位置へ設定表示装置を反転させることができ、さらに第１の筐体および第２の筐体を一体的に保持させながら基礎となる主筐体に対して９０度回動させることで容易に第３の位置を成すことができるため、設定画面装置の３通りの位置の変換移動が容易に操作できる。
【００１９】
上記（４）、（５）で述べた本発明の請求項４、５に係る手段によれば、第２の位置から第３の位置に移動する前に、第１の筐体と第２の筐体が一体的に保持されるまでは少なくとも３つの係止手段のうちの一つは基礎となる筐体からの係合を解除しないため、第１から第２、第３の位置までの位置の変換移動動作が確実におこなえる。
【００２０】
上記（６）で述べた本発明の請求項６に係る手段によれば、第１の位置で確実に通常の操作時の案内画面モードが再現でき、メンテナンス操作後の移動された設定表示装置を元に確実に戻したことが容易に確認でき、メンテナンス後の戻し操作忘れや、中途半端な位置で放置してしまう様なミスが防止できる。
【発明の効果】
【００２１】
以上述べた次第で、本発明に係る駐車場管理機によれば、駐車場に使用されている出口料金精算機或いは事前料金精算機といった各種の駐車場管理機に使用されている案内画面と設定画面を、１台の表示器で併用して画面表示することができるため、各種駐車場管理機の単価を安くして駐車場全体のコストを安く出来る経済性を発揮できると共に、各種駐車場管理機の前扉を開いた内側で表示器と設定キーを備えた設定表示装置を視覚確認可能な状態に反転移動させることができるため、前扉を開けた状態でのメンテナンス作業が適切で円滑に行うことができる機能性を有し、さらに各種駐車場管理機の横扉を開くことにより、その開いた位置に表示器と設定キーを備えた内部機器を移動させることができるため、メンテナンス処理等の作業を車両の通行路に面していない駐車場管理機の側部において安全に、且つ、円滑に行うことができる安全性と機能性も備えるものであって、車両の入出庫や料金の徴収を自動管理する駐車場に実施して、頗る有益なものである。
【発明を実施するための最良の形態】
【００２２】
以下に、上述した本発明に係る駐車場管理機の実施の形態を図面と共に説明すると、図１は本発明の実施の一例である駐車料金精算機の使用時の状態を示した斜視図であり、図２は横扉を開いた状態の斜視図、図３は表示器と設定キーを備えた内部機器を横扉を開いた駐車料金精算機の内側、即ち、設定操作可能な位置に移動（セット）した状態を示した斜視図あって、第４図は駐車料金精算機の前扉と横扉を両方開いた状態の外観図である。また、図５〜図７は本発明の実施例に係る駐車料金精算機における内部機器の取付け構造の実施例を示したものであって、具体的には設定表示装置取付けユニットの移動動作と詳細構成を説明する説明図である。
【００２３】
これ等の図面において符号１で全体的に示したのは、駐車場管理機の一例として示した駐車料金精算機であって、駐車料金精算機１には車両の退場に際して料金の決済を行う出口精算機の他に、駐車場内や近隣に設置されて事前の料金精算を行う事前精算機などが存在するが、図面にはその代表例として出口精算機を示した。なお、これらの実施形態は本発明の好適な具体例であり、技術的に好ましい種々の限定を付している場合もあるが、本発明の技術範囲は、特に本発明を限定する記載がない限りこれらの態様に限定されるものではない。
【００２４】
上述した図１〜図４において、２は車両の通行路ＲＤ（図１参照）に対向する当該駐車料金精算機１の前面部、３はその側面部、１０は前面部２に開閉自在に取付けた前扉、２０は側面部３に開閉自在に取付けた横扉、２１は横扉２０の錠、２Ａは前扉１０を開くことによって開口された駐車料金精算機１の前面開口部、２Ｋは前面開口部２Ａの口縁部、３Ａは横扉２０を開くことによって開口された駐車料金精算機１の側面開口部、３Ｋは側面開口部３Ａの口縁部、１０Ａは前扉１０に設けた開口状又は透過状の案内窓部、３１Ａはこの案内窓部１０Ａに表示される表示器３１（後述する）の案内画面で、案内画面３１Ａには従来装置と同様に、現在時刻の表示や、車両が進入した際は「駐車券を入れて下さい」などのメッセージが適宜表示される仕組みに成っている。
【００２５】
更に図１〜図４において、前扉１０の内側（裏面側）には上記の表示器３１とメンテナンス用設定キー３２を備えた設定表示装置３０が設けられているが、この設定表示装置３０は、図１に示すように表示器３１の表示画面３１Ａを、上記前扉１０の案内窓部１０Ａの内側に位置合わせした第１の位置（正面位置）にセットした場合は、設定キー３２は上記案内窓部からは視覚確認、並びに、キー操作が出来ないように構成されている。
【００２６】
本発明の特徴として、図３に示すように上記の横扉２０を開いた側面開口部３Ａの上部内側位置には、上記メンテナンス用設定キー３２を側面より操作可能に臨ませ、且つ、表示器３１の表示画面３１Ａを外部より視覚確認可能に臨ませる第３の位置（側面位置）に移動操作できるように、上記設定表示装置３０が取付けられている。
【００２７】
上記第１の位置（正面位置）と第３の位置（側面位置）との間の角度は略９０度であって、第１の位置においては表示器３１の画面に前述した案内画面３１Ａが表示され、第３の位置においては表示器３１の画面がメンテナンス用の設定画面に切換えられて表示されるが、画面表示の切換えは自動でおこなうようになっており、その切り替え方法は後述する。
【００２８】
図４は、前述の如く上記駐車料金精算機１の前扉１０と横扉２０を開けた状態を示し、前扉１０の裏側には設定表示装置３０（後述する第１の筺体４１の内部に取付けられている）が設定表示装置取付けユニットＴＵによって取り付けられている。この図の状態は、駐車場の出口車路を完全に閉鎖して、駐車料金精算機１のメンテナンスをおこなう場合などで、横扉２０と前扉１０の両方を開放して様々な内部機器の調整や取り外しが容易に出来るように考慮されており、従来は（特許文献１の例）では、設定表示装置取付けユニットが駐車料金精算機の内部の本体側に前面開口部に向けて取り付けられており、前扉を開放しても表示画面を設定画面として視覚確認しながら設定変更等ができるようになっていたが、本発明の実施例においては図の様に前扉１０側に設定表示装置３０が取り付けられているため、この状態では表示画面３１Ａを設定画面として利用することは出来ない。
【００２９】
図５は本発明の実施例に係る設定表示装置取付けユニットＴＵの構成と移動動作を説明する図であり、図５（１）は図４の設定表示装置取付けユニットＴＵの要部を拡大して表示した状態を示す。設定表示装置取付けユニットＴＵは、略コの字形状を成し、且つ、前扉１０の裏面に固定されて基礎となる前記保持部材としての主筐体４０に対して、同じく保持部材としての第２の筐体４２がその下側の棚部４０Ｂに乗り、且つ、上下の棚部４０Ａ，４０Ｂを貫通する前記支持手段としての第２の回動支持軸５２によって基礎となる主筐体４０に対して相対的に回動可能に取り付けられている。また、第２の筐体４２自体も全体が略コの字形状を成しており、その先端側（第２の回動支持軸５２と反対側）には前記保持部材としての第１の筐体４１が第２の筐体４２の下側棚部４２Ｂに乗り、且つ、上下の棚部４２Ａ，４２Ｂを貫通する前記支持手段としての第１の回動支持軸５１によって第２の筐体４２に対して相対的に回動可能に取り付けられている。
【００３０】
後述するが、第１の筐体４１の内部には表示器３１と設定キー３２とから成る設定表示装置３０が内蔵され、図５（１）の状態では少なくとも表示器３１の画面は前扉１０の前側より視覚可能な方向として、前側を向いて取り付けられており、従って図５（１）の状態では前扉１０を開放した内側（裏側）より表示器３１の画面を視覚確認したり、設定キー３２を操作したりすることは出来ない。
【００３１】
また、図５（１）の状態を第１の位置とし、後述する第３の係止手段６３および第４の係止手段６４によって基礎となる主筐体４０に対して、第２の筐体４２は回動を規制されており、さらに第１の係止手段６１によって第２の筐体４２に対する第１の筐体４１の回動は規制されている。
【００３２】
図５（２）は、第１の位置から、まず第１の係止手段６１（通常は係止爪がバネ等により付勢されているが、図ではバネは省略している）の操作部６１Ａを引いて、第１の係止手段６１の爪部を第１の係止爪引掛部６１Ｂより解放した時の第１の筐体４１の動作を示し、第１の筐体４１は第１の回動支持軸５１を中心に図面手前方向に起き上がる様に回動することができる。図５（２）ではちょうど第１の筐体４１が当初の位置よりほぼ９０度起き上がった状態を示しているが、これは移動動作の過程を示したものである。
【００３３】
図５（３）は第１の筐体４１がほぼ１８０度回動し、元の状態からは反転した姿勢に成っているが、この位置では第２の係止手段６２（バネ等により軸を中心に回動する様に付勢されている）の爪部が第２の係止爪引掛部６２Ｂ（図５（１）、（２）参照）に係合し、一体的に固定されている。この状態で、駐車料金精算機１の前扉１０を図４の如く開放したままで、前扉１０の内側より設定表示装置３０を構成する表示器３１の表示画面３１Ａが視覚確認可能で、且つ、設定キー３２が操作可能となり、メンテナンスが効率よくおこなえる状態が得られ、この状態を第２の位置とする。
【００３４】
図５（４）は上記第２の位置から、全体を略軸状に形成した第３の係止手段６３（自重で前記主筺体４０の上側の棚部４０Ａに設けた係止爪ガイド長溝６３Ｔ内の半円径状の第３の係止爪引掛部６３Ａに嵌って固定され、これを持ち上げることにより係止爪ガイド長溝６３Ｔ内をスライドしながら動く）のレバー形状の操作部６３Ｌを操作して、第３の係止爪引掛部６３Ａから解放することで、第１の筐体４１ならびに第２の筐体４２が一体的で、且つ、第２の回動支持軸５２を中心に図面で手前側にお起き上がる様に回動させることができ、図の様に表示器３１の表示画面３１Ａが第２の位置よりも９０度起き上がった状態となっている。これを第３の位置とする。尚、図中６３Ｋは上記操作部６３Ｌの根端部を上記第２の筺体４２の上側の棚部４２Ａに回動自在で、上記操作部６３Ｌが持ち上げられる程度に若干ルーズに取付けた取付軸である。
【００３５】
この第３の位置において前扉１０を閉めて、横扉２０を開けた状態が前記図３の状態であり、運用中に設定変更や軽微なメンテナンスをおこなう場合などに、図示のように横扉２０を開けて表示器３１の表示画面３１Ａを視覚確認しながら設定キー３２を操作することが可能であり、また、第３の位置に移動するには必ずしも前扉１０を開放しなくても、前扉１０が閉じて横扉２０のみを開放した状態で、内部の前記各係止手段６１、６２、６３の操作部６１Ａ，６２Ａ，６３Ｌを容易に操作して第１から一旦第２の位置に移動させて、その後第３の位置に移動させることが出来る。
【００３６】
図６は実施例に係る設定表示装置取付けユニットＴＵの移動動作を説明した図であり、図６（１）は第１の位置で前扉１０の内側より見た状態の平面図、図６（２）は部分断面図であり、図６（３）は第２の位置を示す断面図、図６（４）は第３の位置を示す断面図である。
【００３７】
図５では図示されていないが、第２の筐体４２の内底部には第４の係止手段６４（バネ等により軸を中心に回動する様に付勢されている）が取り付けられており、基礎となる主筐体４０側の第４の係止爪引掛部６４Ｂと係合することにより、基礎となる主筐体４０と第２の筐体４２は一体的に固定される。また第１の筐体４１の表面には凸部４１Ｘがあり、その凸部４１Ｘは第１の筐体４１が１８０度反転した際に、上記の第４の係止手段６４の操作部６４Ａを押圧する位置に構成されている。従って第１の筐体４１を図６（３）に示す様に第２の位置に反転させた際には、第４の係止手段６４の係合が解放され、第２の筐体４２と基礎となる主筐体４０は分離可能となるが、逆に前述の第２の係止手段６２により第１の筐体４１と第２の筐体４２は一体的係合がなされ、従って図６（３）の状態で第３の係止手段６３の半円径状の第３の係止爪引掛部６３Ａに対する係合を解放すると、第１の筐体４１と第２の筐体４２が一体のままで図６（４）に示す様にさらに９０度起き上がった第３の位置の状態に移動することが出来る。
【００３８】
また、前述した第１の係止爪引掛部６１Ｂの裏側には係止状態判別手段としての係止爪検知スイッチ７０が取り付けられており、第１の係止手段６１の係合状態を検知し、係合していれば表示器３１の表示画面３１Ａは通常の案内画面状態とし、係合していなければ表示画面３１Ａは設定画面の状態とすることで、もし作業者が表示画面３１Ａを適切に第１の状態に戻さずに前扉１０と横扉２０を閉めたとしても、表示画面３１Ａの状態で異常が判断できる。もちろん、作業者が表示器３１の画面状態で確認して閉め忘れの有無を判断するのではなく、図４に示した扉開閉検出スイッチ２Ｓ，３Ｓと合わせて判断し、扉１０，２０が閉まっているのに第１の位置に無い場合には警報を発する構成にすることは容易に実現でき、作業者のミスを確実に防止できる。
【００３９】
図７と図８は、上述した第３の係止手段６３とその関連部材の構成を詳細に示すと共に、表示器３１に表示される表示画面３１Ａとして、メンテナンス用の設定画面の一例を示した図である。即ち、第３の係止手段６３の先端には係止手段の爪部としてテーパーの付いた軸６３Ｘが基礎となる主筐体４０の上側の棚部４０Ａに設けた係止爪ガイド長溝６３Ｔに嵌っており、係止爪ガイド長溝６３Ｔには数箇所に円形の広がり部６３Ａ，６３Ｂ（第３の係止爪の第１、第２の引掛部）があり、この図で示した第２の位置まではテーパーの付いた軸６３Ｘは、テーパーの上側の太軸部が半円径状の第３の係止爪の第１の引掛部６３Ａに嵌り込み、第３の係止手段６３の操作部６３Ｌとしてのリンク板が固定されるが、テーパーの付いた軸６３Ｘの部分を持ち上げて、テーパーの下側の細軸部を係止爪ガイド長溝６３Ｔ内に位置させると、係止爪ガイド長溝６３Ｔの長手方向に移動可能となり、第２の筐体４２を基礎となる主筐体４０に対して９０度まで回動させることが可能となり、９０度の位置では別の円径の広がり部６３Ｂ（第３の係止爪の第２引掛部）にテーパーの付いた軸６３Ｘの太軸部が嵌ることで、これを持ち上げない限り９０度の位置で第２の筐体４２が固定されるようになっている。
【００４０】
さらに、本発明の特徴である前記第１の筺体４１内に取付けられた設定表示装置３０の前記第１、第２、第３の各位置への動きに際して、第１の筺体４１を前扉１０に平行な第１の回動支持軸５１を中心に回動させているが、この回動支持軸５１の位置は表示器３１の電気配線としてのフラットケーブルＦＣがよじれたり絡んだり、または極端な移動動作により折り曲げられることが無いように考慮されている。具体的には、第１の回動支持軸５１と第２の回動支持軸５２の近傍にフラットケーブルＦＣの固定部や引き出し部を設けることで、表示器３１がフラットケーブルＦＣを巻き込みながら反転し、さらに同様に巻き込みながら９０度回動する様にしている。これは図５に示すようにフラットケーブルＦＣの状態とその周辺のケーブル押さえの位置の適正化により実現されている。
【００４１】
これにより、表示器３１をいろいろな位置に移動させる前後やその過程において、フラットケーブルＦＣに極度の負荷をかけることなく、また、フラットケーブルＦＣが他の内部機器に引っかかったりすることもなく、効率良いメンテナンスが可能となることも本発明の特徴のひとつである。
【００４２】
尚、図１乃至図３に示した実施例において、駐車料金精算機１の前扉１０の前面には、前述した案内窓部１０Ａの他に、例えば、駐車券挿入口１０Ｂ、硬貨投入口１０Ｃ、紙幣挿入口１０Ｄ、パスカード挿入口１０Ｅ、おつり紙幣取り出し口１０Ｆ、おつり硬貨／領収証取り出し口１０Ｇといった、駐車料金精算用の各種の機器類が設けられている。
【００４３】
更に駐車料金精算機１の内部には、図２並びに図４に示す如く、前述した設定表示装置３０が設定表示装置取付けユニットＴＵを用いて取付けられている点に加えて、例えば、中継基板１１Ａ、制御基板１１Ｂ、駐車券リーダー１１Ｃ、紙幣払い出し機１１Ｄ、紙幣リーダー１１Ｅ、電源装置１１Ｆ、硬貨循環機１１Ｇ、及び、廃券箱１１Ｈといった、駐車料金精算機１に必要な機器類や装置類が設けられているが、これ等はいずれも実施の一例であることは勿論である。
【００４４】
加えて、本発明の実施例において、第２の筺体４２を第２の位置から第３の位置に移動操作してそれぞれ係止する手段として、複数の円形の広がり部を有する係止爪ガイド長溝６３Ｔにテーパーの付いた軸６３Ｘによる係止手段６３を挿入させて操作部６３Ｌをリンクとして操作する例を示したが、他の実施形態として例えば第１，第２，第４の係止手段と同様なバネで付勢するフック状の爪部を有する機構を２箇所（第２の位置用と第３の位置用）で別々に使用する様に追加して構成しても良い。
【図面の簡単な説明】
【００４５】
【図１】本発明に係る駐車場管理機の一実施例である駐車料金精算機の外観を示した斜視図。
【図２】横扉を開いた駐車料金精算機の斜視図。
【図３】横扉を開いて内部の設定表示装置の表示画面を視覚確認可能にした状態を示した駐車料金精算機の斜視図。
【図４】前扉と横扉を開いた状態を示した駐車料金精算機の斜視図。
【図５】（１）〜（４）は設定表示装置取付けユニットによる設定表示装置の移動動作を順を追って説明した動作説明図。
【図６】設定表示装置取付けユニットによる設定表示装置の移動動作の状態を説明したものであって、（１）は第１の位置の状態を示した正面図、（２）は（１）のＸ−Ｘ線に沿った断面図、（３）は第２の位置の状態を説明した断面図、（４）は第３の位置の状態を説明した断面図。
【図７】設定表示装置取付けユニットの要部を拡大して示した平面図。
【図８】設定表示装置取付けユニットと設定表示装置の要部を拡大して示した正面図。
【符号の説明】
【００４６】
１            駐車場管理機としての駐車料金精算機
ＲＤ          車両の通行路
２            前面部
２Ａ          前面開口部
３            側面部
３Ａ          側面開口部
１０          前扉
１０Ａ        案内窓部
２０          横扉
３０          設定表示装置
３１          表示器
３１Ａ        案内画面
３２          設定キー
ＴＵ          設定表示装置取付けユニット
４０          主筺体
４０Ａ，４０Ｂ      上下の棚部
４１          第１の筺体
４１Ｘ        凸部
４２          第２の筺体
４２Ａ，４２Ｂ      上下の棚部
５１          第１の回動支持軸
５２          第２の回動支持軸
６１          第１の係止手段
６１Ａ        第１の係止爪操作部
６１Ｂ        第１の係止爪引掛部
６２          第２の係止手段
６２Ａ        第２の係止爪操作部
６２Ｂ        第２の係止爪引掛部
６３          第３の係止手段
６３Ｌ        第３の係止爪操作部
６３Ｔ        第３の係止爪ガイド長溝
６３Ａ        第３の係止爪第１引掛部
６３Ｂ        第３の係止爪第２引掛部
６４          第４の係止手段
６４Ａ        第４の係止爪操作部
６４Ｂ        第４の係止爪引掛部
６５          回動アーム
７０          係止爪検知スイッチ
【図１】
0005238316.tif 000002
【図２】
0005238316.tif 000003
【図３】
0005238316.tif 000004
【図４】
0005238316.tif 000005
【図５】
0005238316.tif 000006
【図６】
0005238316.tif 000007
【図７】
0005238316.tif 000008
【図８】
0005238316.tif 000009